(57)【要約】【課題】負イオンと正イオンとを含む空気イオンの有効濃度を維持した状態で当該空気イオンを搬送する。【解決手段】送風手段１は、給気口５１からケーシング５の内部に給気した空気を、ケーシング５の内部であるそれぞれの通風路５４ａ，５４ｂにそれぞれ通過させて各排気口５２からケーシング５の外部に排気する。空気清浄手段２は、給気口５１からケーシング５の内部（各通風路５４ａ，５４ｂ）に給気される空気中の塵埃などを主に除去する。空気イオン発生手段３は、例えば通風路５４ａでは負イオンを発生し、通風路５４ｂでは正イオンを発生し、発生した負イオンおよび負イオンを各通風路５４ａ，５４ｂに通過する空気にそれぞれ含ませる。配送手段４は、例えば住宅などの部屋に至る態様で配管してあり、負イオンを含む第１の空気と正イオンを含む第２の空気とを部屋に個別に配送する。【選択図】        図１
2005134016.tif 000002
【特許請求の範囲】
【請求項１】
給気した空気に負イオンと正イオンとをそれぞれ含ませる空気イオン発生手段を備え、前記負イオンを含む第１の空気と前記正イオンを含む第２の空気とを共に搬送することを特徴とする空気イオン搬送装置。
【請求項２】
給気した空気に負イオンと正イオンとをそれぞれ含ませる空気イオン発生手段と、
前記負イオンを含む第１の空気と前記正イオンを含む第２の空気とを個別に配送する配送手段と
を備えたことを特徴とする空気イオン搬送装置。
【請求項３】
給気した空気の塵埃を除去する空気清浄手段を備えたことを特徴とする請求項１または２に記載の空気イオン搬送装置。
【請求項４】
前記配送手段は、前記負イオンおよび前記正イオンを共に含む第３の空気を他の空気とは個別に配送することを特徴とする請求項２または３に記載の空気イオン搬送装置。
【請求項５】
前記配送手段は、前記負イオンおよび前記正イオンを含まない第４の空気を他の空気とは個別に配送することを特徴とする請求項１〜４のいずれか一つに記載の空気イオン搬送装置。
【請求項６】
空気に含ませる負イオンおよび正イオンの濃度を可変するイオン濃度可変手段を備えたことを特徴とする請求項１〜５のいずれか一つに記載の空気イオン搬送装置。
【請求項７】
配送する前記各空気の送風量を可変する送風量可変手段を備えたことを特徴とする請求項１〜６のいずれか一つに記載の空気イオン搬送装置。
【請求項８】
前記配送手段は、配送する前記各空気を導通するそれぞれ個別の管路を有してなることを特徴とする請求項１〜７のいずれか一つに記載の空気イオン搬送装置。
【請求項９】
前記配送手段は、配送する前記各空気を導通するそれぞれ個別の管路を有し、当該各管路を単一管路の内部の分割によって形成してなることを特徴とする請求項１〜７のいずれか一つに記載の空気イオン搬送装置。
【請求項１０】
前記配送手段は、配送する前記各空気を導通するそれぞれ個別の管路を有し、当該各管路によって重管を形成してなることを特徴とする請求項１〜７のいずれか一つに記載の空気イオン搬送装置。
【請求項１１】
前記配送手段は、非帯電構造を有していることを特徴とする請求項１〜１０のいずれか一つに記載の空気イオン搬送装置。
【請求項１２】
前記配送手段は、非帯電性の材料で形成してあることを特徴とする請求項１〜１０のいずれか一つに記載の空気イオン搬送装置。
【発明の詳細な説明】
【技術分野】
【０００１】
本発明は、住宅やオフィスなどの部屋に負イオン（マイナスイオン）や正イオン（プラスイオン）を空気に含ませた空気イオンを供給する空気イオン搬送装置に関するものである。
【背景技術】
【０００２】
高気密・高断熱の住宅などにおいて、屋内の空気が屋外の空気と十分に置換できず、必然的に屋内空気質が建材などから発生する化学物質などで汚染されてシックハウスや化学物質過敏症などの居住者に対する健康被害が顕在化している。
【０００３】
この対策として、各部屋ごとに換気を行うようにした換気装置がある。この装置は、ファンによって給気ボックスからエアの供給を行い、ファンによって排気ボックスにエアを吸引するように構成したチャンバーファンを備えている。チャンバーファンには、多数のダクト孔を開口配置し、当該ダクト孔と各部屋の給気口および排気口とを個別に直接連結するように各部屋ごと専用の給気ダクトおよび排気ダクトを配置してある。そして、チャンバーファンの給気ボックス乃至そのダクト孔には、負イオン（マイナスイオン）発生手段を配置してあり、さらに各ダクト孔に風量調整手段を配置してある（例えば、特許文献１参照）。
【０００４】
また、空気搬送路の内壁面に浮遊物が付着することを防ぎ、空気搬送路に流れ込む空気を浮遊物が汚染することがない空調ダクト装置がある。この装置は、空気を給気するとともに空気に含まれる塵や埃を除去した後に空気を空気搬送路に送風する送風手段と、高電圧印加電極と当該高電圧印加電極に対向して配置された接地電極とを有して送風手段が送風した空気に負イオンを供給する負イオン発生手段と、負イオン発生装置が供給した負イオンによって負極性に帯電した空気に含まれる浮遊物が空気搬送路の内壁面に付着しないように空気搬送路の内壁面を負極性に帯電させる表面電位発生手段とを備えている（例えば、特許文献２参照）。
【０００５】
【特許文献１】特開２００３−９７８３６号公報
【特許文献２】特開２００２−２７７０１０号公報
【発明の開示】
【発明が解決しようとする課題】
【０００６】
ところで、近年では、負イオン（マイナスイオン）および正イオン（プラスイオン）を共に発生して空気に含ませた空気イオンによって、カビ菌およびウィルスなどの空気中に浮遊する細菌を殺菌、不活化し、一酸化窒素、酢酸を除去することが知られている。
【０００７】
しかしながら、負イオンおよび正イオンを共に発生して空気に含ませた場合では、負イオンおよび正イオンの発生直後に互いの相手側イオンと結合・中和し、さらに給気ダクトや空気搬送路を経ている間に結合・中和が進行することになる。また、負イオンおよび正イオンは、給気ダクトや空気搬送路を経ている間に空気中の塵埃に吸着する。このため、空気イオンの寿命は短く、イオン発生装置から数ｍ程度で減衰してしまう。この結果、人の居住空間（部屋）に供給されたときには空気イオンのイオン濃度が低下してしまうので、十分な空気イオンの効果を得ることができないという問題がある。
【０００８】
本発明は、上記実情に鑑みて、負イオンと正イオンとを含む空気イオンの有効濃度を維持した状態で当該空気イオンを搬送することができる空気イオン搬送装置を提供することを目的とする。
【課題を解決するための手段】
【０００９】
上記の目的を達成するために、本発明の請求項１に係る空気イオン搬送装置は、給気した空気に負イオンと正イオンとをそれぞれ含ませる空気イオン発生手段を備え、前記負イオンを含む第１の空気と前記正イオンを含む第２の空気とを共に搬送することを特徴とする。
【００１０】
本発明の請求項２に係る空気イオン搬送装置は、給気した空気に負イオンと正イオンとをそれぞれ含ませる空気イオン発生手段と、前記負イオンを含む第１の空気と前記正イオンを含む第２の空気とを個別に配送する配送手段とを備えたことを特徴とする。
【００１１】
本発明の請求項３に係る空気イオン搬送装置は、上記請求項１または２において、給気した空気の塵埃を除去する空気清浄手段を備えたことを特徴とする。
【００１２】
本発明の請求項４に係る空気イオン搬送装置は、上記請求項２または３において、前記配送手段は、前記負イオンおよび前記正イオンを共に含む第３の空気を他の空気とは個別に配送することを特徴とする。
【００１３】
本発明の請求項５に係る空気イオン搬送装置は、上記請求項１〜４のいずれか一つにおいて、前記配送手段は、前記負イオンおよび前記正イオンを含まない第４の空気を他の空気とは個別に配送することを特徴とする。
【００１４】
本発明の請求項６に係る空気イオン搬送装置は、上記請求項１〜５のいずれか一つにおいて、空気に含ませる負イオンおよび正イオンの濃度を可変するイオン濃度可変手段を備えたことを特徴とする。
【００１５】
本発明の請求項７に係る空気イオン搬送装置は、上記請求項１〜６のいずれか一つにおいて、配送する前記各空気の送風量を可変する送風量可変手段を備えたことを特徴とする。
【００１６】
本発明の請求項８に係る空気イオン搬送装置は、上記請求項１〜７のいずれか一つにおいて、前記配送手段は、配送する前記各空気を導通するそれぞれ個別の管路を有してなることを特徴とする。
【００１７】
本発明の請求項９に係る空気イオン搬送装置は、上記請求項１〜７のいずれか一つにおいて、前記配送手段は、配送する前記各空気を導通するそれぞれ個別の管路を有し、当該各管路を単一管路の内部の分割によって形成してなることを特徴とする。
【００１８】
本発明の請求項１０に係る空気イオン搬送装置は、上記請求項１〜７のいずれか一つにおいて、前記配送手段は、配送する前記各空気を導通するそれぞれ個別の管路を有し、当該各管路によって重管を形成してなることを特徴とする。
【００１９】
本発明の請求項１１に係る空気イオン搬送装置は、上記請求項１〜１０のいずれか一つにおいて、前記配送手段は、非帯電構造を有していることを特徴とする。
【００２０】
本発明の請求項１２に係る空気イオン搬送装置は、上記請求項１〜１０のいずれか一つにおいて、前記配送手段は、非帯電性の材料で形成してあることを特徴とする。
【発明の効果】
【００２１】
本発明に係る空気イオン搬送装置は、給気した空気に負イオンと正イオンとをそれぞれ含ませ、負イオンを含む第１の空気と正イオンを含む第２の空気とを共に搬送している。このため、空気イオンを部屋などに搬送する際に負イオンおよび正イオンが発生直後に結合・中和する事態を防ぎ、空気イオンの有効濃度を維持した状態で当該空気イオンを搬送することができる。
【００２２】
本発明に係る空気イオン搬送装置は、給気した空気に負イオンと正イオンとをそれぞれ含ませ、負イオンを含む第１の空気と正イオンを含む第２の空気とを個別に配送している。このため、空気イオンを部屋などに搬送する際に負イオンおよび正イオンが結合・中和する事態を防ぎ、空気イオンの有効濃度を維持した状態で当該空気イオンを搬送することができる。
【００２３】
本発明に係る空気イオン搬送装置は、負イオンと正イオンとを含ませる以前の空気の清浄を行っている。このため、空気イオンを部屋などに搬送する際に負イオンおよび正イオンが空気中の塵埃に吸着する事態を防ぎ、空気イオンの有効濃度を維持した状態で当該空気イオンを搬送することができる。
【００２４】
本発明の空気イオン搬送装置は、負イオンおよび正イオンを共に含む第３の空気を他の空気とは個別に配送する。さらに、負イオンおよび正イオンを含まない第４の空気を他の空気とは個別に配送する。このため、用途に応じて第１〜第４の空気を搬送することができる。
【００２５】
本発明の空気イオン搬送装置は、負イオンおよび正イオンの濃度を可変するイオン濃度可変手段を備え、例えば最初に負イオンおよび正イオンの濃度を略同等量部屋に放出し、部屋の空気中に遊するカビ菌およびウィルスなどの浮遊する細菌を殺菌、不活化し、一酸化窒素、酢酸を除去した後、負イオンと正イオンとの混合比（濃度）を変えて負イオンの濃度を増すことで負イオンによる癒し効果を得るなど、空気イオンによって得る効果を場合に応じて変えることができる。さらに、必要に応じて正イオンの濃度を増すこともできる。
【００２６】
本発明の空気イオン搬送装置は、空気の送風量を可変する送風量可変手段を備え、空気の搬送量を変えることができる。
【００２７】
本発明の空気イオン搬送装置では、配送手段が負イオンを含む第１の空気と正イオンを含む第２の空気とを個別に配送する。また、配送手段が各管路を単一管路の内部の分割によって形成して負イオンを含む第１の空気と正イオンを含む第２の空気とを個別に配送する。また、配送手段が各管路によって重管を形成して負イオンを含む空気イオンである第１の空気と正イオンを含む空気イオンである第２の空気とを個別に配送する。このように、様々な搬送形態を得ることができるので空気イオン搬送装置を設置する建物などの配管に応じた設計を行うことができる。
【００２８】
本発明の空気イオン搬送装置は、配送手段に非帯電構造を設けてあり、あるいは配送手段が非帯電性の材料で形成してある。このため、空気イオンを部屋などに搬送する際に負イオンおよび正イオンが静電気によって配送手段に吸着する事態を防ぎ、空気イオンの有効濃度を維持した状態で当該空気イオンを搬送することができる。
【発明を実施するための最良の形態】
【００２９】
以下に添付図面を参照して、本発明に係る空気イオン搬送装置の好適な実施例を詳細に説明する。なお、この実施例によりこの発明が限定されるものではない。
【実施例】
【００３０】
図１は本発明に係る空気イオン搬送装置の一実施例を示す概略構成図、図２は配送手段の例を示す断面図、図３は配送手段の別の例を示す断面図、図４は配送手段のさらに別の例を示す断面図、図５は空気イオンのイオン濃度と搬送距離との関係を示す図である。
【００３１】
本発明の空気イオン搬送装置は、例えば空調設備などに採用されて住宅などの部屋に空気イオンを搬送するものであり、送風手段１、空気清浄手段２、空気イオン発生手段３および配送手段４を備えている。
【００３２】
送風手段１は、送風機などからなり、給気口５１と排気口５２とを有したケーシング５の内部に配設してある。ケーシング５の内部には、セパレータ５３を介して２分割した各通風路５４ａ，５４ｂが形成してある。各通風路５４ａ，５４ｂは、給気口５１と排気口５２と間に通じて設けてある。なお、本実施例では給気口５１が各通風路５４ａ，５４ｂに共通して設けてあり、排気口５２が各通風路５４ａ，５４ｂごとにそれぞれ設けてある。送風手段１は、前記各通風路５４ａ，５４ｂにそれぞれ配設してある。各送風手段１は、その稼働によって給気口５１からケーシング５の内部に給気した空気を、ケーシング５の内部であるそれぞれの通風路５４ａ，５４ｂにそれぞれ通過させて各排気口５２からケーシング５の外部に排気する。
【００３３】
なお、送風手段１は、各通風路５４ａ，５４ｂにそれぞれ配設せず、給気口５１の位置に単一で配設して、その排気口５２側においてケーシング５の内部をセパレータ５３で２分割した各通風路５４ａ，５４ｂに給気した空気を通過させて各排気口５２からケーシング５の外部に当該空気を排気する構成であってもよい。
【００３４】
空気清浄手段２は、ＨＥＰＡフィルタ（High Efficiency Particulate Air Filter）などからなり、ケーシング５の給気口５１の位置に配設してある。空気清浄手段２は、送風手段１の稼働によって給気口５１からケーシング５の内部（各通風路５４ａ，５４ｂ）に給気される空気中の塵埃などを主に除去する。この空気清浄手段２は、給気する空気の状態に応じて比較的粗大な汚染物を除去するフィルタや、ＮＯX・ＳＯXや化学物質や花粉などを除去するフィルタなどを採用してもよい。
【００３５】
空気イオン発生手段３は、ケーシング５の内部である各通風路５４ａ，５４ｂにそれぞれ設けてある。各空気イオン発生手段３は、図には明示しないが、高電圧発生部とイオン発生部とを対向配置し、高電圧発生部からイオン発生部に高電圧を印加することによってコロナ放電により、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）とを主体とした正負のイオン（プラスイオンとマイナスイオン）を生成し、これらをファンなどにより空間に放出させる。これら、Ｈ+（Ｈ2Ｏ）mおよびＯ2-（Ｈ2Ｏ）nは、浮遊菌の表面に付着し、化学反応して活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中の浮遊細菌を取り込んで不活化することができる。ここで、・ＯＨは活性種の１種であり、ラジカルのＯＨを示している。
正負のイオンは、浮遊細菌の細胞表面で下記式（１）〜式（３）に示すように化学反応して、活性種である過酸化水素（Ｈ2Ｏ2）または水酸基ラジカル（・ＯＨ）を生成する。ここで、式（１）〜式（３）において、ｍ、ｍ′、ｎ、ｎ′は任意の自然数である。これにより、活性種の分解作用によって浮遊細菌が破壊される。したがって、効率的に空気中の浮遊細菌を不活化、殺菌することができる。
Ｈ+（Ｈ2Ｏ）m＋Ｏ2-（Ｈ2Ｏ）n→・ＯＨ＋1/2Ｏ2＋（ｍ＋ｎ）Ｈ2Ｏ…式（１）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→２・ＯＨ＋Ｏ2＋（ｍ＋ｍ′＋ｎ＋ｎ′）Ｈ2Ｏ…式（２）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→Ｈ2Ｏ2＋Ｏ2＋（ｍ＋ｍ′＋ｎ＋ｎ′）Ｈ2Ｏ…式（３）
以上のメカニズムにより、上記正負イオンの放出により浮遊菌などの殺菌効果を得ることができる。
また、上記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化もしくは分解して、ホルムアルデヒドやアンモニアなどの化学物質を、二酸化炭素や、水、窒素などの無害な物質に変換することにより、実質的に無害化することが可能である。
したがって、送風手段１を駆動することにより、イオン発生装置によって発生させた正イオンと負イオンとを本体外に送り出すことができる。そして、これらの正イオンと負イオンの作用により空気中のカビや菌の微生物を殺菌することができる。
その他、正イオンと負イオンには、コクサッキーウィルス、ポリオウィルス、などのウィルス類も不活化する働きがあり、これらウィルスの混入による汚染が防止できる。
また、正イオンと負イオンには、臭いの元となる分子を分離する働きがあることも確かめられており、空間の脱臭にも利用できる。
また、各通風路５４ａ，５４ｂに設けたそれぞれの空気イオン発生手段３は、各通風路５４ａ，５４ｂで個別のイオンを発生する。例えば通風路５４ａでは負イオンを発生し、通風路５４ｂでは正イオンを発生する。そして、発生した負イオンおよび正イオンは、送風手段１によって各通風路５４ａ，５４ｂに通過する空気にそれぞれ含まれることになる。
【００３６】
なお、空気イオン発生手段３は、上記のようにケーシング５の内部に設ける以外に、ケーシング５の外部である例えば排気口５２の位置に設けてあってもよい。
【００３７】
配送手段４は、ケーシング５の排気口５２からケーシング５の外部に延在して設けてあり、各通風路５４ａ，５４ｂを通過して各排気口５２から排気される各空気を導通するために、それぞれ個別の管路４１ａ，４１ｂを有している。各管路４１ａ，４１ｂは、通気ダクトなどからなり、例えば住宅などの部屋に至る態様で共に配管してあり、負イオンを含む第１の空気と正イオンを含む第２の空気とを前記部屋に個別に配送する。
【００３８】
本実施例における配送手段４は、図２に示すようにそれぞれの管路４１ａ，４１ｂを独立して配管して、負イオンを含む第１の空気と正イオンを含む第２の空気とを個別に配送する。また、配送手段４の別の例では、図３に示すように各管路４１ａ，４１ｂを単一管路４０の内部の分割によって形成して、負イオンを含む第１の空気と正イオンを含む第２の空気とを個別に配送する。また、配送手段４のさらに別の例では、図４に示すように各管路４１ａ，４１ｂによって重管を形成して、負イオンを含む空気イオンである第１の空気と、正イオンを含む空気イオンである第２の空気とを個別に配送する。このように、様々な搬送形態を得ることができるので本空気イオン搬送装置を設置する建物などの配管に応じた設計を行うことが可能になる。また、配送手段４の出口側において負イオンと正イオンとが混ざり合う手段を設け、正負イオンが混ざった状態で室内に放出されることで、室内の殺菌効果がより向上する。
【００３９】
また、上記各管路４１ａ，４１ｂは、非帯電構造を有している。非帯電構造としては、帯電しない、あるいは帯電しにくい構造であり、図には明示しないが各管路４１ａ，４１ｂにアースを設ける構造がある。また、非帯電構造としては、上記各管路４１ａ，４１ｂの少なくとも内面を非帯電性の材料で形成する、もしくは上記各管路４１ａ，４１ｂの少なくとも内面を非帯電性の形状に構成することが考えられる。非帯電性の材料としては、アルミなど金属、または樹脂系材料などがある。なお、樹脂系材料としては、負イオンを含む第１の空気を搬送する管路の場合には正に帯電しない、あるいは帯電しにくい樹脂系材料を採用し、正イオンを含む第２の空気を搬送する管路の場合には負に帯電しない、あるいは帯電しにくい樹脂系材料を採用する。また、非帯電性の構成としては、蛇腹形状、管路４１ａ，４１ｂ内での番線のピッチ、または管路４１ａ，４１ｂの内面材の接着方法などがある。すなわち、非帯電構造では、管路４１ａ，４１ｂにおいて空気が触れる内面に対して帯電しない、あるいは帯電しにくい構造を備えることが重要である。
【００４０】
このように、上記空気イオン搬送装置は、空気イオン発生手段３によってケーシング５の内部に給気した空気に負イオンと正イオンとをそれぞれ含ませ、配送手段４によって負イオンを含む第１の空気と正イオンを含む第２の空気とを個別に配送している。このため、空気イオンを部屋などに搬送する際に負イオンおよび正イオンが結合・中和する事態を防ぎ、空気イオンの有効濃度を維持した状態で当該空気イオンを搬送することが可能になる。図５では、例えば１つのイオン発生手段によって共に発生した負イオンおよび正イオンを共に含む管路内の空気イオン（図５中破線で示す）と、負イオンのみを含む管路内の空気イオン（図５中実線で示す）および正イオンのみを含む管路内の空気イオン（図５中一点鎖線で示す）とを比較して空気イオンのイオン濃度と搬送距離との関係を示している。すなわち、図５で明らかなように、負イオンあるいは正イオンのみを含む管路内の空気イオンは、負イオンおよび正イオンを共に含む管路内の空気イオンに比較してイオン濃度を維持している搬送距離が長いことが判る。この搬送距離は、負イオンおよび正イオンを共に含む空気イオンを搬送する距離が数ｍ程度に対して負イオンまたは正イオンのみを含む空気イオンを搬送する距離が１０ｍから数十ｍに至る範囲まで改善される。
【００４１】
また、空気イオン発生手段３は、送風手段１を設けたケーシング５の内部あるいは外部の排気口５２の位置に設けたうえで、空気イオンの有効濃度を維持した状態で当該空気イオンを搬送することが可能なので、例えば住宅の各部屋に設けた空気供給口に空気イオン発生手段を設けなくてもよい。この結果、送風手段１との関連でイオン発生に関して様々な運転条件が設定できる。また、各部屋に設けた空気供給口に空気イオン発生手段を設けなくてもよいため、各部屋での設計上の制約を受けることがない。さらに、各部屋に設けた空気供給口に空気イオン発生手段を設けなくてもよいため、水廻り部での湿気の影響やその他特殊な部屋（冷凍室、冷蔵室、高温室、工場や医療施設で薬剤使用あるいは薬剤薫蒸する部屋など）での空気イオン発生手段への直接的な影響がないので、継続的で安定した空気イオンの供給が可能になる。そして、管路による配送なので常時管路内の殺菌や脱臭が可能である。このため、上記空気イオン搬送装置は、住宅に限らず、オフィス、医療施設、老健施設、宿泊施設、教育施設あるいは美術館などの配管空調システム導入のあらゆる用途の建物に適応することが可能である。
【００４２】
また、上記空気イオン搬送装置は、空気清浄手段２によって負イオンと正イオンとを含ませる以前の空気の清浄を行っている。このため、空気イオンを部屋などに搬送する際に負イオンおよび正イオンが空気中の塵埃に吸着する事態を防ぎ、空気イオンの有効濃度を維持した状態で当該空気イオンを搬送することが可能になる。
【００４３】
また、上記空気イオン搬送装置は、空気イオンを配送する各管路４１ａ，４１ｂに非帯電構造を設けてあり、あるいは各管路４１ａ，４１ｂを非帯電性の材料を含み形成してある。このため、空気イオンを部屋などに搬送する際に負イオンおよび正イオンが静電気によって各管路４１ａ，４１ｂに吸着する事態を防ぎ、空気イオンの有効濃度を維持した状態で当該空気イオンを搬送することが可能になる。
【００４４】
ところで、上記空気イオン搬送装置では、負イオンを含む第１の空気と、正イオンを含む第２の空気とを個別に配送する構成であるが、空気イオン発生手段３によってケーシング５の内部に給気した空気に負イオンと正イオンとをそれぞれ含ませ、負イオンを含む第１の空気と、正イオンを含む第２の空気とを共に搬送してもよい。この場合、負イオンおよび正イオンが発生直後に結合・中和する事態を防ぎ、空気イオンの有効濃度を維持した状態で当該空気イオンを搬送することができる。図５では、例えば１つのイオン発生手段によって共に発生した負イオンおよび正イオンを共に含む管路内の空気イオン（図５中破線で示す）と、別々のイオン発生手段３によりそれぞれ発生した負イオンおよび正イオンを共に含む管路内の空気イオン（図５中二点鎖線で示す）とを比較して空気イオンのイオン濃度と搬送距離との関係を示している。すなわち、図５で明らかなように、それぞれ発生した負イオンおよび正イオンを共に含む管路内の空気イオンは、共に発生した負イオンおよび正イオンを共に含む管路内の空気イオンに比較して結合・中和の程度が低くイオン濃度を維持している搬送距離が長いことが判る。
【００４５】
また、上記空気イオン搬送装置では、負イオンを含む第１の空気と、正イオンを含む第２の空気とを個別に配送する構成であるが、上記第１の空気と第２の空気とは別に、それぞれ発生した負イオンおよび正イオンを共に含む第３の空気を上記管路４１ａ，４１ｂとは別の管路（図示せず）で他の空気とは個別に配送してもよい。さらに、上述した空気イオン搬送装置では、負イオンおよび正イオンを含まない第４の空気を別の配管（図示せず）で他の空気とは個別に配送してもよい。第４の空気としては、新鮮空気による空気イオンを希釈するための空気、その他の空気（香りを含む空気・高酸素空気など）がある。この場合、図には明示しないがケーシング５の内部をセパレータ５３で３分割あるいは４分割にした各通風路を形成するとともに、各通風路の排気口５２からケーシング５の外部に延在する３つあるいは４つの管路を設けて、第１の空気と第２の空気と第３の空気とを個別に配送する形態と、第１の空気と第２の空気と第４の空気とを個別に配送する形態と、第１の空気と第２の空気と第３の空気と第４の空気とを個別に配送する形態とを得ることも可能である。なお、この場合の各管路は、上述したように独立した配管（図２参照）、単一管路４０の内部の分割した配管（図３参照）あるいは重管による配管（図４参照）が可能である。さらに、各管路のうちのいずれか一つの管路の内部に他の管路を内装してなる配管でもよい。
【００４６】
また、上記空気イオン搬送装置では、第１の空気〜第３の空気に含まれる負イオンおよび正イオンの濃度を可変するイオン濃度可変手段を備えてもよい。イオン濃度可変手段としては、負イオンあるいは正イオンの発生容量を増減する、あるいは、負イオンあるいは正イオンを間欠発生させるなどの手段がある。このイオン濃度可変手段によれば、例えば最初に負イオンおよび正イオンの濃度を略同等量部屋に放出し、部屋の空気中に遊するカビ菌およびウィルスなどの浮遊する細菌を殺菌、不活化し、一酸化窒素、酢酸を除去した後、負イオンと正イオンとの混合比（濃度）を変えて負イオンの濃度を増すことで負イオンによる癒し効果を得るなど、空気イオンによって得る効果を場合に応じて変えることが可能になる。さらに、必要に応じて正イオンの濃度を増すこともできる。
【００４７】
また、第１の空気〜第３の空気を搬送する箇所（部屋）が多い場合には、各管路を複数要することになり、各箇所に搬送する負イオンあるいは正イオンの濃度が低下するおそれがあるが、空気イオン発生手段３を増すことで搬送する空気のイオン濃度を調整することが可能である。
【００４８】
また、上記空気イオン搬送装置では、第１の空気〜第４の空気の送風量を可変する送風量可変手段を備えてもよい。送風量可変手段としては、送風手段１の稼働を増減する、あるいは各管路の内径を変えるなどの手段がある。この送風量可変手段によれば、空気の搬送量を変えることが可能になる。
【産業上の利用可能性】
【００４９】
以上のように、本発明に係る空気イオン搬送装置は、住宅などの部屋に負イオンや正イオンを空気に含ませた空気イオンを供給することに有用であり、特に、負イオンと正イオンと個別に配送して空気イオンの有効濃度を維持した状態で当該空気イオンを搬送することに適している。
【図面の簡単な説明】
【００５０】
【図１】本発明に係る空気イオン搬送装置の一実施例を示す概略構成図である。
【図２】配送手段の例を示す断面図である。
【図３】配送手段の別の例を示す断面図である。
【図４】配送手段のさらに別の例を示す断面図である。
【図５】空気イオンの濃度と距離との関係を示す図である。
【符号の説明】
【００５１】
１    送風手段
２    空気清浄手段
３    空気イオン発生手段
４    配送手段
４０    単一管路
４１ａ，４１ｂ    管路
５    ケーシング
５１    給気口
５２    排気口
５３    セパレータ
５４ａ，５４ｂ    通風路
【図１】
2005134016.tif 000003
【図２】
2005134016.tif 000004
【図３】
2005134016.tif 000005
【図４】
2005134016.tif 000006
【図５】
2005134016.tif 000007